(57)【要約】【課題】コンテンツの再生に対応して、外部装置の動作に関する情報を出力することができる情報出力装置を提供することである。【解決手段】情報出力装置は、通信手段と、再生手段と、出力手段とを備える。前記通信手段は、外部装置の第１の動作予定情報を受信する。前記再生手段は、コンテンツを再生する。前記出力手段は、コンテンツの再生進捗状況に基づき、前記第１の動作予定情報を出力する。【選択図】図４
2014235491.tif 000002
【特許請求の範囲】
【請求項１】
外部装置の第１の動作予定情報を受信する通信手段と、
コンテンツを再生する再生手段と、
コンテンツの再生進捗状況に基づき、前記第１の動作予定情報を出力する出力手段と、
を備える情報出力装置。
【請求項２】
前記出力手段は、前記コンテンツの再生終了タイミングに基づき、前記第１の動作予定情報を出力する請求項１の情報出力装置。
【請求項３】
前記出力手段は、前記コンテンツを構成する各チャプターの再生開始タイミングに基づき、前記第１の動作予定情報を出力する請求項１又は２の情報出力装置。
【請求項４】
前記第１の動作予定情報は、定期的に更新される情報であり、
前記通信手段は、更新された第２の動作予定情報を受信し、前記第２の動作予定情報を出力する請求項１乃至３の何れか一つの情報出力装置。
【請求項５】
前記通信手段は、前記外部装置の動作状態情報を受信し、
前記出力手段は、コンテンツの再生進捗状況に基づき、前記動作状態情報を出力する請求項１乃至４の何れか一つの情報出力装置。
【請求項６】
前記出力手段は、前記第１の動作予定情報に含まれた第１の動作完了予定時刻及び前記第１の動作完了予定時刻までの第１の残り時間のうちの少なくとも一方を出力する請求項１乃至５の何れか一つの情報出力装置。
【請求項７】
前記通信手段は、前記第１の動作完了予定時刻に基づき、更新された第２の動作予定情報を受信し、
前記出力手段は、前記第１の動作完了予定時刻及び前記第１の残り時間に替えて、前記第２の動作予定情報に含まれた第２の動作完了予定時刻及び前記第２の動作完了予定時刻までの第２の残り時間のうちの少なくとも一方を出力する請求項６の情報出力装置。
【請求項８】
前記出力手段は、前記第１の動作予定情報に含まれる第１の動作完了予定時刻までの第１の残り時間と、再生可能な各コンテンツの再生時間とに基づき、１又は複数のコンテンツの視聴案内を出力する請求項１乃至７の何れか一つの情報出力装置。
【請求項９】
前記出力手段は、前記第１の残り時間以上の再生時間の１コンテンツ、又は前記第１の残り時間以上の合計再生時間の複数コンテンツの視聴案内を出力する請求項８の情報出力装置。
【請求項１０】
前記再生手段は、前記動作状態情報に基づき、前記コンテンツの再生を一時停止し、
前記出力手段は、前記一時停止中に、前記動作状態情報を出力する請求項５の情報出力装置。
【請求項１１】
前記再生手段は、前記動作状態情報に含まれる動作完了情報に基づき、前記コンテンツの再生を一時停止し、
前記出力手段は、前記一時停止中に、前記動作完了情報を出力する請求項１０の情報出力装置。
【請求項１２】
前記通信手段は、洗濯機から、前記第１の動作予定情報に対応する洗濯動作予定情報、及び前記動作状態情報に対応する洗濯動作状態情報を受信する請求項１１の情報出力装置。
【請求項１３】
外部装置の第１の動作予定情報を受信し、
コンテンツを再生し、
コンテンツの再生進捗状況に基づき、前記第１の動作予定情報を出力する情報出力方法。
【請求項１４】
外部装置の第１の動作予定情報を受信する手順と、
コンテンツを再生する手順と、
コンテンツの再生進捗状況に基づき、前記第１の動作予定情報を出力する手順とを、コンピュータに実行させるための情報出力プログラム。
【発明の詳細な説明】
【技術分野】
【０００１】
本発明の実施形態は、情報出力装置、情報出力方法、及び情報出力プログラムに関する。
【背景技術】
【０００２】
冷蔵庫や洗濯機などの生活家電機器、及びテレビやレコーダーなどのAV家電機器といった家庭内のさまざまな機器をネットワークにつなぎ、コントローラで制御して家庭内のエネルギー消費を最適化するなどの仕組みとしてHEMS (Home Energy Management System)が注目されている。
【０００３】
国内のHEMSの標準インターフェース規格としてECHONET Liteが推奨されている。
【０００４】
また、近年では、放送コンテンツ等を記録（録画）する記録機能（いわゆる録画機能）を備えたテレビが普及している。コンテンツの記録先となるハードディスク等の大容量且つ低下価格化に伴い、多くのユーザが、大量のコンテンツを記録し保管するようになっている。
【先行技術文献】
【特許文献】
【０００５】
【特許文献１】特開２００３−３２４７８０号公報
【発明の概要】
【発明が解決しようとする課題】
【０００６】
上記のように、大量のコンテンツが保管される傾向にあるが、一日の視聴時間は限られている。そこで、ユーザは、コンテンツの視聴と他の作業（例えば洗濯機による洗濯）とを並行して行うことがある。その場合、他の機器の状況が気がかりで、再生コンテンツを十分に楽しめないことがある。しかしながら、他の機器からの過剰な通知も煩わしい。
【０００７】
本発明の目的は、コンテンツの再生に対応して、外部装置の動作に関する情報を出力することができる情報出力装置、情報出力方法、及び情報出力プログラムを提供することである。
【課題を解決するための手段】
【０００８】
実施形態の情報出力装置は、通信手段と、再生手段と、出力手段とを備える。前記通信手段は、外部装置の第１の動作予定情報を受信する。前記再生手段は、コンテンツを再生する。前記出力手段は、コンテンツの再生進捗状況に基づき、前記第１の動作予定情報を出力する。
【図面の簡単な説明】
【０００９】
【図１】実施形態に係る情報表示システムの構成例を示す図である。
【図２】実施形態に係る情報表示システムを構成する表示装置の構成例を示すブロック図である。
【図３】実施形態に係る表示装置において生活家電情報を表示するシーケンスの一例を示すシーケンス図である。
【図４】実施形態に係る表示装置において生活家電情報を表示する手順の一例を示すフローチャートである。
【図５】実施形態に係る表示装置による生活家電情報の表示例を示す図である。
【発明を実施するための形態】
【００１０】
以下、実施形態について図面を参照して説明する。
【００１１】
図１は、実施形態に係る情報表示システムの構成例を示す図である。
【００１２】
図１に示すように、情報表示システムは、表示装置１及び監視対象機器（例えば生活家電機器）２を備える。例えば、表示装置１は、テレビ放送を受信し、再生し、記録することができる装置（デジタルＴＶ）であって、ネットワークインターフェースを持ち、ECHONET Lite規格のControllerとして動作し、表示部を備え、表示部が、生活家電情報を表示する生活家電情報表示装置として機能する。
【００１３】
例えば、監視対象機器２は、洗濯や洗濯乾燥を行う生活家電機器（洗濯装置）であり、ネットワークインターフェースを持ち、ECHONET Lite規格のdeviceとして動作する。ネットワークは、LANなどの有線ネットワーク、またはWi-FiやBluetooth（登録商標）などの無線ネットワークである。
【００１４】
図２は、実施形態に係る情報表示システムを構成する表示装置の構成例を示すブロック図である。
【００１５】
図２に示すように、表示装置１は、制御部１１、コンテンツ記録部１２、画像処理部１３、表示部１４、リモートコントロール信号受信部１５、外部Ｉ／Ｆ(インターフェース)部１６、内部バス１７、視聴提案制御部１８、チューナー部１９を備える。
【００１６】
チューナー部１９は、受信放送信号から指定チャンネルの信号を選択し、指定チャンネルの信号（コンテンツ）を出力する。画像処理部１３は、チューナー部１９からの信号に基づきコンテンツを復調、再生する。表示部１４は、再生されたコンテンツを表示する。コンテンツ記録部１２は、チューナー部１９からの信号に基づきコンテンツを記録（録画）する。
【００１７】
また、画像処理部１３は、内部バス１７を通して得られる表示データから表示画像データを構成し、表示部１４に送信（出力）する。例えば、画像処理部１３は、コンテンツの映像と表示画像データとを合成し、表示部１４に合成映像を送信（出力）することもできる。或いは、画像処理部１３は、コンテンツの再生を一時停止し、一時停止中に、表示画像データを送信（出力）することもできる。表示部１４は、ＣＲＴやＬＣＤなどであり、画像処理部より受信した表示画像データを表示する。
【００１８】
リモートコントロール信号受信部１５は、リモートコントローラＲからのリモートコントロール信号を受信し、内部バス１７を介して、リモートコントロール信号を制御部１１へ転送する。制御部１１は、内部バス１７に接続されており、内部バス１７を介してリモートコントロール信号を受信し、リモートコントロール信号を解釈し、リモートコントロール信号に基づき各部を統括的に制御する。
【００１９】
外部Ｉ／Ｆ部１６は、監視対象機器２との間で、ＬＡＮ等のインターフェースを介してデータを送受信する。内部バス１７は、表示装置１内の各部を接続する内部のバスであって、画像データ等の転送、各部間の情報の転送等に使用される。
【００２０】
視聴提案制御部１８は、ECHONET Lite規格に関する制御および処理を行い、コンテンツ記録部１２から記録済みコンテンツを選定し、ユーザに視聴を提案するための表示データを画像処理部１３へ送信する。
【００２１】
図３は、実施形態に係る表示装置において生活家電情報を表示するシーケンスの一例を示すシーケンス図である。
【００２２】
例えば、表示装置１（外部Ｉ／Ｆ部１６等）は、洗濯装置２からの電源オン通知を受信すると(P1)、ECHONET Lite規格を利用して洗濯遷移状態（動作状態情報）と洗濯残り時間（洗濯動作完了予定時刻までの残り時間）を洗濯装置から取得（受信）する(P2)。洗濯遷移状態が「洗濯完了・停止」を示さず、かつ洗濯残り時間が「0」を示さない場合、表示装置１（制御部１１等）は、洗濯残り時間から洗濯動作完了予測時刻を設定する(P3)。そして、表示装置１（視聴提案制御部１８等）は、洗濯残り時間以上となる再生時間（合計再生時間）の１つ以上の記録済みコンテンツ（例えば記録済みコンテンツＡとＢ）の視聴を提案する(P4)。例えば、洗濯残り時間が５０分で、記録済みコンテンツＡの再生時間が３０分で、記録済みコンテンツＢの再生時間が４０分であれば、記録済みコンテンツＡとＢの合計再生時間は、洗濯残り時間以上となる。
【００２３】
つまり、表示装置１は、洗濯装置２から、洗濯動作完了予定時刻までの残り時間を含む動作予定情報を受信し、洗濯残り時間と、再生可能な各コンテンツの再生時間とに基づき、１又は複数のコンテンツの視聴案内を出力する。上記説明では、残り時間以上となる１つ以上のコンテンツの視聴を案内するケースについて説明したが、表示装置１は、残り時間以下となる１つ以上のコンテンツの視聴を案内する設定を受け付けることもできる。
【００２４】
表示装置１（制御部１１、画像処理部１３）は、記録済みコンテンツの再生状況（再生進捗状況）を監視しながら、記録済みコンテンツを再生し、再生状況に基づき、洗濯装置２からの動作状態情報及び動作予定情報を出力（表示）する。なお、表示装置１は、再生状況に基づき、これら動作状態情報及び動作予定情報を受信してもよいし、定期的に動作状態情報及び動作予定情報を受信してもよい。
【００２５】
また、洗濯装置２は、動作状態の変化に応じて、動作状態情報を更新する。同様に、洗濯装置２は、動作の進捗状況に応じて、動作予定情報も更新する。例えば、洗濯動作が洗濯中から洗濯終了になれば、洗濯中情報を含む動作状態情報は、洗濯終了情報を含む動作状態情報へ更新される。また、洗濯残り時間１０分を含む動作予定情報は、時間の経過（１分経過）とともに、洗濯残り時間９分を含む動作予定情報へ更新される。また、実際の経過時間と、洗濯残り時間の減少時間とが一致しない場合もある。例えば、洗濯残り時間１０分を含む動作予定情報は、時間が経過（例えば５分経過）し、再計算された結果、洗濯残り時間３分を含む動作予定情報へ更新されることもある。
【００２６】
例えば、表示装置１（画像処理部１３）が、記録済みコンテンツの再生を開始し、その記録済みコンテンツを構成する各チャプターを通過するタイミングに基づき（各チャプターの再生開始のタイミングに基づき）、洗濯遷移状態（動作状態情報）と洗濯残り時間（動作予定情報）を洗濯装置２から取得し、洗濯遷移状態、洗濯残り時間、洗濯動作完了予定時刻のうちの少なくとも一つを出力（表示）する(P5)。なお、表示装置１が、定期的（事前）に洗濯遷移状態（動作状態情報）と洗濯残り時間（動作予定情報）を洗濯装置２から取得し、取得した洗濯遷移状態と洗濯残り時間を記憶し、必要なタイミングで（各チャプターの再生開始のタイミングで）、記憶した洗濯遷移状態と洗濯残り時間に基づき、洗濯遷移状態、洗濯残り時間、洗濯動作完了予定時刻のうちの少なくとも一つを出力（表示）することもできる。なお、定期的に取得され記憶される洗濯遷移状態と洗濯残り時間は、最新の洗濯遷移状態と洗濯残り時間により更新されるものとする。
【００２７】
また、ユーザがリモートコントローラＲを介して早送り、早戻し、スキップ、一時停止などの操作を行うと、表示装置１は、これら操作に対応し、早送り、早戻し、スキップ、一時停止などを実行し、その後、再度再生を開始する。表示装置１は、再度再生を開始するタイミングに基づき、洗濯遷移状態（動作状態情報）と洗濯残り時間（動作予定情報）を洗濯装置から取得し、洗濯遷移状態、洗濯残り時間、洗濯動作完了予定時刻のうちの少なくとも一つを表示する出力（表示）する(P6)。なお、表示装置１が、定期的（事前）に洗濯遷移状態（動作状態情報）と洗濯残り時間（動作予定情報）を洗濯装置２から取得し、取得した洗濯遷移状態と洗濯残り時間を記憶し、必要なタイミング（早送り、早戻し、スキップ、一時停止の後の再生再開のタイミング）で、記憶した洗濯遷移状態と洗濯残り時間に基づき、洗濯遷移状態、洗濯残り時間、洗濯動作完了予定時刻のうちの少なくとも一つを出力（表示）することもできる。
【００２８】
また、表示装置１は、記録済みコンテンツの再生位置が記録済みコンテンツの最後に到達したタイミングに基づき（再生終了タイミングに基づき）、洗濯遷移状態と洗濯残り時間を洗濯装置２から取得し、洗濯遷移状態、洗濯残り時間、洗濯動作完了予定時刻のうちの少なくとも一つを出力（表示）する(P7)。なお、表示装置１が、定期的（事前）に洗濯遷移状態（動作状態情報）と洗濯残り時間（動作予定情報）を洗濯装置２から取得し、取得した洗濯遷移状態と洗濯残り時間を記憶し、必要なタイミング（再生終了タイミング）で、記憶した洗濯遷移状態と洗濯残り時間に基づき、洗濯遷移状態、洗濯残り時間、洗濯動作完了予定時刻のうちの少なくとも一つを出力（表示）することもできる。
【００２９】
また、表示装置１は、洗濯完了予測時刻に到達したタイミングに基づき、洗濯遷移状態と洗濯残り時間を洗濯装置２から取得し、洗濯遷移状態、洗濯残り時間、洗濯動作完了予定時刻のうちの少なくとも一つを出力（表示）する(P8)。なお、表示装置１が、定期的（事前）に洗濯遷移状態（動作状態情報）と洗濯残り時間（動作予定情報）を洗濯装置２から取得し、取得した洗濯遷移状態と洗濯残り時間を記憶し、必要なタイミング（洗濯完了予測時刻に到達したタイミング）で、記憶した洗濯遷移状態と洗濯残り時間に基づき、洗濯遷移状態、洗濯残り時間、洗濯動作完了予定時刻のうちの少なくとも一つを出力（表示）することもできる。
【００３０】
また、表示装置１は、洗濯遷移状態が「洗濯完了・終了」となったタイミングに基づき、つまり、洗濯完了・終了を含む洗濯遷移状態を受信すると、記録済みコンテンツの再生を一時停止して、一時停止中に、洗濯が完了したことを出力（表示）する(P9)。
【００３１】
図４は、実施形態に係る表示装置において生活家電情報を表示する手順の一例を示すフローチャートである。
【００３２】
表示装置１（外部Ｉ／Ｆ部１６等）は、洗濯装置２から電源オン通知を受信する(ＳＴ１)。表示装置１は、洗濯が開始されており、且つ洗濯残り時間が0でないことを確認する(ＳＴ２)。洗濯が開始されていなかったり、洗濯残り時間が0であれば(ＳＴ２、ＮＯ)、表示装置１は、引き続き洗濯装置２を監視する。洗濯が開始されており、且つ洗濯残り時間が0でないならば(ＳＴ２、ＹＥＳ)、洗濯残り時間以上となる１以上の記録済みコンテンツの視聴を提案するための情報を出力（表示）する(ＳＴ３)。
【００３３】
ユーザが、リモートコントローラＲを介して、視聴提案に基づき記録済みコンテンツを視聴しない旨の指示を選択すると、表示装置１は、視聴提案を終了する。ユーザが、リモートコントローラＲを介して、視聴提案に基づき記録済みコンテンツを視聴する旨の指示を選択すると、表示装置１は、条件1、又は条件2に基づき、洗濯装置２から洗濯遷移状態と洗濯残り時間を取得し、一定時間経過後、洗濯遷移状態と洗濯残り時間を出力（表示）する(ＳＴ４)。
【００３４】
条件1 : 早送り・早戻し・スキップ・一時停止などの操作を行い、再度再生を開始した
条件2 : 記録済みコンテンツの最後に到達した
そして、表示装置１は、現在時刻が、洗濯残り時間で指定された洗濯完了予測時刻に到達しているかを確認する(ＳＴ５)。到達した場合(ＳＴ５、ＹＥＳ)、表示装置１は、洗濯装置２から洗濯遷移状態と洗濯残り時間を取得し、洗濯遷移状態と洗濯残り時間を出力（表示）する(ＳＴ６)。最後に、表示装置１は、洗濯遷移状態が洗濯完了・終了であるかを確認する(ＳＴ７)。選択完了した場合、表示装置１は、再生している記録済みコンテンツの再生を一時停止して、「洗濯が完了しました」等の案内を出力（表示）する。図５は、実施形態に係る表示装置による生活家電情報の表示例を示す図である。
【００３５】
本実施形態の表示装置１によれば、大量に保管されている記録済みコンテンツを効果的に消費し、生活家電の状況確認と記録済みコンテンツの視聴を快適に行うことができる。
【００３６】
以下、実施形態についてまとめる。
【００３７】
ユーザが、洗濯装置２による洗濯と並行して、記録済みコンテンツの視聴を開始した場合に、洗濯の状態や洗濯の残り時間などが気になる。例えば、洗濯装置２から表示装置１に対して洗濯の状態や洗濯の残り時間を定期的に通知し、その都度、表示装置１が洗濯の状態や洗濯の残り時間を表示することもできる。しかしながら、表示頻度が高いと、コンテンツを落ち着いて視聴できなくなることがある。
【００３８】
本実施形態の表示装置１は、洗濯装置２による洗濯の状態や洗濯の残り時間を適切なタイミングで表示することができる。
【００３９】
例えば、表示装置１は、早送り・早戻し・スキップ・一時停止などの操作を受け付け、再度再生を開始したタイミングで、洗濯の状態や洗濯の残り時間等の情報を表示する。また、表示装置１は、洗濯残り時間で指定された洗濯完了予測時刻に到達したタイミングで、ECHONET Liteを使用して洗濯装置２から洗濯遷移状態と洗濯残り時間を取得し、一定時間経過後、洗濯遷移状態と洗濯残り時間を表示する。また、表示装置１は、記録済みコンテンツのチャプターを通過した際に、ECHONET Liteを使用して洗濯装置２から洗濯残り時間を取得し、洗濯完了予測時刻を更新する。また、表示装置１は、洗濯残り時間以上の１以上の記録済みコンテンツの視聴を提案する。また、表示装置１は、洗濯遷移状態が「洗濯完了・終了」である場合、再生している記録済みコンテンツの再生を一時停止して、洗濯が完了したことを表示する。
【００４０】
なお、上記処理（情報出力）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００４１】
例えば、表示装置１は、外部Ｉ／Ｆ部１６等を介して、上記プログラムをダウンロードし、ダウンロードしたプログラムを記憶し、プログラムのインストールを完了することができる。これにより、上記コンピュータに相当する表示装置１は、インストールされた上記プログラムに基づき、上記処理（情報出力）を容易に実現することができる。
【００４２】
また、表示装置１は、コンピュータ読み取り可能な記憶媒体から上記プログラムを読み取り、読み取ったプログラムを記憶し、プログラムのインストールを完了することができる。
【００４３】
なお、本実施形態では、監視対象機器２として洗濯装置を一例として取り上げたが、洗濯装置に限定されるものではない。例えば、監視対象機器２は、オーブンレンジ、電子調理器であってもよい。
【００４４】
なお、上記したモジュールとは、ハードウェアで実現するものであっても良いし、ＣＰＵ等を使ってソフトウェアで実現するものであってもよい。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…表示装置、２…監視対象機器、１１…制御部、１２…コンテンツ記録部、１３…画像処理部、１４…表示部、１５…リモートコントロール信号受信部、１６…外部Ｉ／Ｆ部、１７…内部バス、１８…視聴提案制御部、１９…チューナー部
【図１】
2014235491.tif 000003
【図２】
2014235491.tif 000004
【図３】
2014235491.tif 000005
【図４】
2014235491.tif 000006
【図５】
2014235491.tif 000007